(57)【特許請求の範囲】
【請求項１】
着信したとき着信信号を出力する携帯端末に接続された親機と、前記親機との間で信号を送受信する子機と、より構成され、
前記親機は、
自己が前記携帯端末に接続された状態で専用の置台にセットされたとき、セットされたことを検知して自己に駆動電力を投入し、自己がオンしたことを示すイネーブル信号を前記子機に送信する手段と、
自己を識別するＩＤ（識別）コードの送信を要求する命令が自己に供給されたとき、当該命令に応答して前記ＩＤコードを送信する手段と、
前記着信信号を取得し、当該着信信号に応答して前記ＩＤコードを送信する手段と、を備え、
前記子機は、
前記イネーブル信号を受信したことに応答して前記命令を前記親機に送信する手段と、
前記親機が前記命令に応答して送信したＩＤコードを受信して記憶する手段と、
前記親機が前記着信信号に応答して送信したＩＤコードを受信し、自己が当該ＩＤコードを記憶しているか否かを判別して、記憶していると判別したとき、前記携帯端末が着信した旨を報知する報知手段と、を備える、
ことを特徴とする着信報知システム。
【請求項２】
前記子機は、自己が前記ＩＤコードを記憶しているか否かを判別して、記憶していると判別したとき、前記命令の送信を中止する、
ことを特徴とする請求項１に記載の着信報知システム。
【請求項３】
前記子機は、前記親機が前記命令に応答して送信したＩＤコードを受信したとき、自己が従前から記憶していたＩＤコードの記憶を消去する手段を備える、
ことを特徴とする請求項１に記載の着信報知システム。
【請求項４】
着信したとき着信信号を出力する携帯端末に接続され、当該着信信号を取得し、当該着信信号に応答して、自己を識別するＩＤ（識別）コードを送信する親機と、前記親機が前記着信信号に応答して送信したＩＤコードを受信し、自己が当該ＩＤコードを記憶しているか否かを判別して、記憶していると判別したとき、前記携帯端末が着信した旨を報知する子機と、からなる着信報知システムにおける当該親機を、着信を監視する対象として当該子機に設定するための着信監視対象設定方法であって、
前記親機が、自己が前記携帯端末に接続された状態で専用の置台にセットされたとき、セットされたことを検知して自己に駆動電力を投入し、自己がオンしたことを示すイネーブル信号を子機に送信し、
前記子機が、前記イネーブル信号を受信したことに応答して、前記ＩＤコードの送信を要求する命令を前記親機に送信し、
前記親機が、前記命令が自己に供給されたとき、当該命令に応答して前記ＩＤコードを送信し、
前記子機が、前記親機が前記命令に応答して送信したＩＤコードを受信して記憶する、
ことを特徴とする着信監視対象設定方法。
【発明の詳細な説明】
【０００１】
【発明の属する技術分野】
この発明は、電話等の着信を報知する着信通報器に関し、特に、特定の電話等の着信を選択的に報知することができる着信通報器に関する。
【０００２】
【従来の技術】
携帯電話等が電話を着信したとき、着信があったことを音声や振動などにより報知する着信報知器が広く用いられている。この着信報知器は、例えば携帯電話が着信したことを示す電波等を受信し、受信したことを表す音声や振動を発生するものである。
【０００３】
【発明が解決しようとする課題】
しかし、従来は、着信を監視する対象の電話機等を決定するため、電話機等を特定する識別符号等をユーザが着信報知器に入力し、着信報知器にこの識別符号等を記憶させる、という手順を必要とした。
このため、着信報知器の操作が煩わしくなるという問題があり、また、識別符号等を記憶させる手順をユーザが嫌って省略する結果、電話機等の着信を正しく報知できない、という問題が生じていた。
【０００４】
この発明は、上記実状に鑑みてなされたものであり、着信を監視する対象の電話機等を決定する手順が簡単な着信報知システム及び着信監視対象設定方法を提供することを目的とする。また、この発明は、着信を監視する対象の電話機等を決定するための格別の操作をユーザが行うのを待たずに、着信を報知する対象の電話機等を決定することが可能な着信報知システム及び着信監視対象設定方法を提供することも目的とする。
【０００５】
【課題を解決するための手段】
上記目的を達成するべく、この発明の第１の観点に係る着信報知システムは、
着信したとき着信信号を出力する携帯端末に接続された親機と、前記親機との間で信号を送受信する子機と、より構成され、
前記親機は、
自己が前記携帯端末に接続された状態で専用の置台にセットされたとき、セットされたことを検知して自己に駆動電力を投入し、自己がオンしたことを示すイネーブル信号を前記子機に送信する手段と、
自己を識別するＩＤ（識別）コードの送信を要求する命令が自己に供給されたとき、当該命令に応答して前記ＩＤコードを送信する手段と、
前記着信信号を取得し、当該着信信号に応答して前記ＩＤコードを送信する手段と、を備え、
前記子機は、
前記イネーブル信号を受信したことに応答して前記命令を前記親機に送信する手段と、
前記親機が前記命令に応答して送信したＩＤコードを受信して記憶する手段と、
前記親機が前記着信信号に応答して送信したＩＤコードを受信し、自己が当該ＩＤコードを記憶しているか否かを判別して、記憶していると判別したとき、前記携帯端末が着信した旨を報知する報知手段と、を備える、
ことを特徴とする。
【０００６】
このような着信報知システムによれば、子機は、着信を監視する対象に接続された親機を特定するＩＤコードを記憶するために自ら命令を発し、この命令に応答して親機が送信したＩＤコードを受信して記憶する。このため、子機にＩＤコードを記憶させる操作の煩わしさが軽減され、着信を監視する対象の電話機等を決定する手順は簡単になる。
また、このような構成を有することにより、子機は、親機が起動すれば、ＩＤコードを子機に記憶させるための格別の操作をユーザが行うのを待たずにＩＤコードを記憶する手順を開始する。
【０００７】
前記子機は、自己が前記ＩＤコードを記憶しているか否かを判別して、記憶していると判別したとき、前記命令の送信を中止してもよい。このような構成を有することにより、不要な命令を発する手順が省略され、着信を監視する対象の電話機等を決定する手順は更に簡単になる。
【０００８】
前記子機は、前記親機が前記命令に応答して送信したＩＤコードを受信したとき、自己が従前から記憶していたＩＤコードの記憶を消去する手段を備えるものとすれば、複数の親機から送信されるＩＤコードに応答することが防止されるので、子機が、着信の監視の対象でない装置が着信したことを誤って報知することが防止される。
【００１０】
また、この発明の第２の観点にかかる着信監視対象設定方法は、
着信したとき着信信号を出力する携帯端末に接続され、当該着信信号を取得し、当該着信信号に応答して、自己を識別するＩＤ（識別）コードを送信する親機と、前記親機が前記着信信号に応答して送信したＩＤコードを受信し、自己が当該ＩＤコードを記憶しているか否かを判別して、記憶していると判別したとき、前記携帯端末が着信した旨を報知する子機と、からなる着信報知システムにおける当該親機を、着信を監視する対象として当該子機に設定するための着信監視対象設定方法であって、
前記親機が、自己が前記携帯端末に接続された状態で専用の置台にセットされたとき、セットされたことを検知して自己に駆動電力を投入し、自己がオンしたことを示すイネーブル信号を子機に送信し、
前記子機が、前記イネーブル信号を受信したことに応答して、前記ＩＤコードの送信を要求する命令を前記親機に送信し、
前記親機が、前記命令が自己に供給されたとき、当該命令に応答して前記ＩＤコードを送信し、
前記子機が、前記親機が前記命令に応答して送信したＩＤコードを受信して記憶する、
ことを特徴とする。
【００１１】
このような着信監視対象設定方法によれば、子機は、着信を監視する対象に接続された親機を特定するＩＤコードを記憶するために自ら命令を発し、この命令に応答して親機が送信したＩＤコードを受信して記憶する。このため、子機にＩＤコードを記憶させる操作の煩わしさが軽減され、着信を監視する対象の電話機等を決定する手順は簡単になる。
【００１２】
【発明の実施の形態】
以下に、図面を参照して、この発明の実施の形態に係る着信報知システムを、携帯電話着信通報器を例として説明する。
【００１３】
図１は、この発明の実施の形態に係る携帯電話着信通報器の構成を示す図である。
図示するように、この携帯電話着信通報器は、親機１及び子機２より構成されている。親機１は、外部の携帯端末Ｔに着脱可能に装着できる形状を有している。なお、携帯端末Ｔは、移動体電話機すなわち携帯電話やＰＨＳ（Personal Handyphone System）の機能を行うものであり、電話を着信したとき、着信があったことを示す信号を、後述するように親機１へと供給する機能を有する。
【００１４】
親機１は、図２に示すように、制御部１１と、携帯電話インターフェース１２と、変復調部１３と、ＲＦ（Radio Frequency）部１４と、アンテナ１５とより構成されている。
【００１５】
制御部１１は、ＣＰＵ（Central Processing Unit）及びメモリより構成されており、後述する処理を実行する。また、制御部１１のメモリは、親機１を識別するためのＩＤ（IDentification）コードを予め記憶しており、後述する処理に従ってこのＩＤコードを子機２へと送信する。
【００１６】
携帯電話インターフェース１２は、親機１が携帯端末Ｔに装着されたとき、携帯端末Ｔに接続され、携帯端末Ｔが供給する信号を取得可能となる。そして、携帯端末Ｔが、着信があったことを示す信号を供給すると、この信号を取得して制御部１１へと供給する。
【００１７】
変復調部１３は、制御部１１より後述の処理により供給される信号を所定の手法により変調し、得られた変調波をＲＦ部１４に供給する。また、変復調部１３は、ＲＦ部１４より変調波を供給されると、この変調波を復調し、復調により得られた信号を制御部１１に供給する。
【００１８】
ＲＦ部１４は、変復調部１３より供給された変調波を増幅してアンテナ１５に給電し、アンテナ１５よりその変調波を放射させる。また、ＲＦ部１４は、アンテナ１５より供給された変調波を増幅して変復調部１３に供給する。
【００１９】
子機２は、図３に示すように、制御部２１と、表示部２２と、変復調部２３と、ＲＦ部２４と、アンテナ２５と、着信報知部２６とより構成されている。制御部２１、変復調部２３、ＲＦ部２４及びアンテナ２５は、例えば、親機１の制御部１１、変復調部１３、ＲＦ部１４及びアンテナ１５と実質的に同一の構成を有していればよい。
【００２０】
制御部２１は、後述する処理を実行する。また、制御部２１のメモリは、後述する処理により親機１から供給される上述のＩＤコードを記憶する。
変復調部２３は、制御部２１より後述の処理により供給される信号を変調し、得られた変調波をＲＦ部２４に供給する。また、ＲＦ部２４より変調波を供給されると、この変調波を復調し、復調により得られた信号を制御部２１に供給する。
ＲＦ部２４は、変復調部２３より供給された変調波を増幅してアンテナ２５に給電し、アンテナ２５よりその変調波を放射させる。また、ＲＦ部２４は、アンテナ２５より供給された変調波を増幅して変復調部２３に供給する。
【００２１】
表示部２２は、ＬＣＤ（Liquid Crystal Display）等より構成されており、制御部２１が供給する指示に従った画像を表示する。
着信報知部２６は、ブザー等より構成されており、制御部２１が供給する指示に従って電話の着信を報知する（具体的には、電話の着信を報知するための音声を、制御部２１が指定する音声レベルで発する）。
【００２２】
次に、この携帯電話着信通報器の動作を説明する。
図４は、ＩＤコードの自動登録の処理を表すフローチャートである。
図５は、電話着信の処理を表すフローチャートである。
【００２３】
（ＩＤコードの自動登録の処理）
子機２にＩＤコードの自動登録を行わせる場合、ユーザはまず、親機１の電源をオン状態にする（図４、ステップＳ１１）。次いでユーザは、子機２の電源もオン状態にする（ステップＳ１２）。
【００２４】
子機２の電源がオン状態になると、子機２の制御部２１は、制御部２１自身のメモリにＩＤコードが登録されているか否かを判別する（ステップＳ１３）。そして、登録されていると判別すると、ＩＤコードの自動登録の処理を終了する。
【００２５】
一方、ステップＳ１３で、ＩＤコードが登録されていないと判別すると、制御部２１は、ＩＤコードの送信を要求する命令（ＩＤ要求）を生成し、変復調部２３、ＲＦ部２４及びアンテナ２５を介して親機１へと送信する（ステップＳ１４）。より具体的には、制御部２１はＩＤ要求を生成して変復調部２３へ供給する。変復調部２３は、制御部２１から供給されたＩＤ要求を変調し、得られた変調波をＲＦ部２４に供給する。ＲＦ部２４はこの変調波を増幅してアンテナ２５に給電し、アンテナ２５は給電された変調波を放射する。
そして、制御部２１は、親機１からＩＤコードが送信されてくるのを待機する状態に入り、待機を開始してから所定の時間が経過したか否かを監視する。なお、所定の時間が経過したか否かの判定は、例えば、待機を開始してから、制御部２１のＣＰＵが、このＣＰＵ自身を駆動するクロックの数をカウントし、カウント数が一定数に達したか否かを判別することにより行えばよい。
【００２６】
親機１の制御部１１は、子機２が送信したＩＤ要求を、アンテナ１５、ＲＦ部１４及び変復調部１３を介して受信する（ステップＳ１５）。より具体的には、子機２が放射した変調波をアンテナ１５が受信してＲＦ部１４に供給し、ＲＦ部１４はアンテナ１５より供給された変調波を増幅して変復調部１３に供給する。変復調部１３は、ＲＦ部１４より供給された変調波を復調し、復調により得られたＩＤ要求を制御部１１に供給する。
【００２７】
ステップＳ１５でＩＤ要求を受信した親機１の制御部１１は、このＩＤ要求に応答し、制御部１１自身が記憶しているＩＤコードを、変復調部１３、ＲＦ部１４及びアンテナ１５を介して子機２へと送信する（ステップＳ１６）。なお、ステップＳ１６で変復調部１３、ＲＦ部１４及びアンテナ１５が行う動作は、ステップＳ１４で子機２の変復調部２３、ＲＦ部２４及びアンテナ２５が行う動作と実質的に同一である。
【００２８】
子機２の制御部２１は、ＩＤコードの待機を開始してから所定の時間が経過するまでに親機１がＩＤコードを送信した場合、このＩＤコードを、アンテナ２５、ＲＦ部２４及び変復調部２３を介して受信する（ステップＳ１７）。なお、ステップＳ１７で変復調部２３、ＲＦ部２４及びアンテナ２５が行う動作は、ステップＳ１５で親機１の変復調部１３、ＲＦ部１４及びアンテナ１５が行う動作と実質的に同一である。
【００２９】
制御部２１は、ステップＳ１７でＩＤコードを受信すると、受信したＩＤコードを自己のメモリに記憶し、登録完了の表示を行うことを表示部２２に指示する（ステップＳ１８）。表示部２２は、制御部２１の指示に従い、ＩＤコードの登録が完了した旨の表示を行い、この携帯電話着信通報器は、ＩＤコードの自動登録の処理を終了する。
【００３０】
なお、制御部２１は、ＩＤコードの待機を開始してから所定の時間が経過するまでにＩＤコードを受信できなかった場合、登録失敗の表示を行うことを表示部２２に指示する。表示部２２は、制御部２１の指示に従い、ＩＤコードの登録に失敗した旨の表示を行い、この携帯電話着信通報器は処理を終了する。
【００３１】
（電話着信の処理）
子機２へのＩＤコードの登録が完了しており、親機１が携帯端末Ｔに装着された状態で、携帯端末Ｔが電話を着信すると、携帯端末Ｔは、親機１の携帯電話インターフェース１２を介して、制御部１１に、電話の着信があったことを示す信号を供給する（図５、ステップＳ２１）。
【００３２】
ステップＳ２１で、電話の着信があったことを示す信号を供給された親機１の制御部１１は、この信号に応答し、制御部１１自身が記憶しているＩＤコードを、ステップＳ１６と実質的に同一の手順で子機２へと送信する（ステップＳ２２）。
子機２の制御部２１は、親機１がステップＳ２２で送信したＩＤコードを、ステップＳ１７と実質的に同一の手順で受信する（ステップＳ２３）。
【００３３】
ステップＳ２３でＩＤコードを受信した子機２の制御部２１は、受信したＩＤコードが、制御部２１自身のメモリに登録されているＩＤコードに一致するか否かを判別する（ステップＳ２４）。そして、一致しないと判別すると、着信報知部２６に着信を報知させることなく処理を終了する。
【００３４】
一方、ステップＳ２４で、受信したＩＤコード及び登録されているＩＤコードが一致すると判別すると、制御部２１は、着信報知部２６に、一定の音声レベルで着信の報知を行うことを指示する（ステップＳ２５）。着信報知部２６は、制御部２１の指示に従い、電話の着信を一定期間報知する。
【００３５】
次いで制御部２１は、着信報知部２６に、音声をミュートして（つまり、ステップＳ２５で指定した音声レベルより小さな音声レベルで）着信の報知を更に行うことを指示する（ステップＳ２６）。着信報知部２６は、制御部２１の指示に従い、音声をミュートして電話の着信を更に報知する。そして、この携帯電話着信通報器は電話着信の処理を終了する。
【００３６】
なお、この着信通報器の構成は上述のものに限られない。例えば、携帯端末Ｔは必ずしも移動体電話機の機能を行うものである必要はなく、例えば電子メールその他のデータを受信する機能を有する任意の装置であってよい。
【００３７】
また、親機１は、必ずしも携帯端末Ｔに着脱可能に接続される形状を有している必要はない。従って、例えば、親機１は携帯端末Ｔに内蔵されていてもよいし、携帯端末Ｔが親機１の機能を行うようにしてもよい。
【００３８】
また、子機２の着信報知部２６は、電話の着信を音声により報知するものである必要はなく、例えば、制御部２１が指定する強度で振動する装置であってもよい。また、着信報知部２６が発する音声のレベルや振動の強度は、必ずしも可変である必要はない。
【００３９】
また、子機２は、ＩＤコードが既に制御部２１に登録されている場合であっても親機１にＩＤ要求を送信してよい。そして、親機１からＩＤコードを受信したとき、受信したＩＤコードを記憶するようにし、従前から登録されていたＩＤコードを消去するようにしてもよい。（なお、親機１は、子機２にＩＤコードを送信するとき、このＩＤコードがＩＤコードの自動登録のためのものか、着信の通知のためのものかを示す符号をＩＤコードに付して送信し、子機２は、この符号に従って、自動登録用のＩＤコードを受信したのか着信の通知があったのかを判別するようにしてもよい。）
【００４０】
もっとも、子機２は、複数のＩＤコードを登録するようにしてもよい。従って、親機１からＩＤコードを受信したとき、従前から登録されていた古いＩＤコードを消去せず、この古いＩＤコードと、新たに受信したＩＤコードとを、いずれも有効なＩＤコードとして記憶するようにしてもよい。
こうすることにより、１個の子機２が、複数の親機１から送信されるＩＤコードに応答して電話の着信の報知を行うようにできる。
【００４１】
また、親機１は、親機１自身の電源がオン状態になった直後に、自らがオン状態になったことを通知するイネーブル信号を子機２に送信するようにしてもよい。この場合、子機２は、自らがオフ状態にある間もイネーブル信号を待機し、イネーブル信号を受信したとき、子機２自身の電源をオン状態にするようにしてもよい。
【００４２】
また、親機１は、自らが携帯端末Ｔに装着された状態で携帯端末Ｔと共に専用の置台にセットされたとき、セットされたことを検知して親機１自身の電源をオンし、上述のイネーブル信号を子機２に送信するようにしてもよい。
親機１は、自己が置台にセットされたことを検知するため、例えば、置台にセットされた状態で置台が備える出力端子と接触する入力端子を備えてもよい。この場合、置台が出力端子から供給する信号が入力端子を介して親機１に供給されたとき、親機１は、自己が置台にセットされたと判別するようにすればよい。
【００４３】
以上、この発明の実施の形態を説明したが、この発明にかかる着信通報器は、専用のシステムによらず、通常のコンピュータシステムを用いて実現可能である。
例えば、トランシーバを備える１対のマイクロコンピュータに上述の親機１及び子機２の動作を実行するためのプログラムを格納した媒体（プログラマブルＲＯＭ、フラッシュメモリ等）から該プログラムをインストールすることにより、上述の処理を実行する携帯電話着信通報器を構成することができる。
【００４４】
また、例えば、通信回線の掲示板（ＢＢＳ）に該プログラムを掲示し、これを通信回線を介して配信してもよく、また、該プログラムを表す信号により搬送波を変調し、得られた変調波を伝送し、この変調波を受信した装置が変調波を復調して該プログラムを復元するようにしてもよい。
そして、このプログラムを起動し、ＯＳの制御下に、他のアプリケーションプログラムと同様に実行することにより、上述の処理を実行することができる。
【００４５】
なお、ＯＳが処理の一部を分担する場合、あるいは、ＯＳが本願発明の１つの構成要素の一部を構成するような場合には、記録媒体には、その部分をのぞいたプログラムを格納してもよい。この場合も、この発明では、その記録媒体には、コンピュータが実行する各機能又はステップを実行するためのプログラムが格納されているものとする。
【００４６】
【発明の効果】
以上の説明のように、この発明によれば、着信を監視する対象の電話機等を決定する手順が簡単な着信報知システム及び着信監視対象設定方法が実現される。また、この発明によれば、着信を監視する対象の電話機等を決定するための格別の操作をユーザが行うのを待たずに、着信を報知する対象の電話機等を決定することが可能な着信報知システム及び着信監視対象設定方法が実現される。
【図面の簡単な説明】
【図１】この発明の実施の形態に係る着信通報器の構成を示す図である。
【図２】親機の構成を示すブロック図である。
【図３】子機の構成を示すブロック図である。
【図４】ＩＤコードの自動登録の処理を示すフローチャートである。
【図５】電話着信の処理を示すフローチャートである。
【符号の説明】
１              親機
２              子機
１１、２１      制御部
１２            携帯電話インターフェース
１３、２３      変復調部
１４、２４      ＲＦ部
１５、２５      アンテナ
２２            表示部
２６            着信報知部
Ｔ              携帯端末
【図１】
0003676648.tif 000002
【図２】
0003676648.tif 000003
【図３】
0003676648.tif 000004
【図４】
0003676648.tif 000005
【図５】
0003676648.tif 000006